(57)【要約】  本発明によれば、無駄毛剃り器具（２４）を保管するための容器（１０）は、基部（１２）と蓋部（１４）を含んでいる。基部は、交換用剃刀カートリッジ（２２）のディスペンサー（２０）を収納できる大きさに作られた第１空洞（１６）、並びに、無駄毛剃り器具を収納できる大きさに作られた第２空洞（１８）を含んでいる。蓋部は、基部にヒンジ接続されており、閉位置と開位置の間を動かすことができる。蓋部（１４）が閉位置にあるときは、無駄毛剃り器具（２４）は、その中に実質的に密閉されている。容器は、情報カード（４０）を部分的に第２空洞内に挿入し、収縮ラップ（５０）材料を（閉位置にある）容器の回りに配置して、交換用剃刀カートリッジ（２２）のディスペンサー（２０）の少なくとも一部分が容器と収縮ラップ材料の間にあるようにすることによって、パッケージ材料としての役目も果たす。情報カードは、包装された無駄毛剃り器具を保管棚に吊るすための孔（４４）を含んでいる。【選択図】図４
2009500261.tif 000002
【特許請求の範囲】
【請求項１】
無駄毛剃り器具を保管するための容器において、
交換用剃刀カートリッジのディスペンサーを収納できる大きさに作られている第１空洞と、前記無駄毛剃り器具を収納できる大きさに作られている第２空洞とを有する基部と、
前記基部にヒンジ接続されており、閉位置と開位置の間で動かすことができる蓋部と、を備えており、
前記無駄毛剃り器具が前記第１空洞内に配置され、前記蓋部が閉位置にあるときは、前記無駄毛剃り器具は、前記蓋部と前記基部の間に実質的に密閉されており、前記第１空洞は前記蓋部が閉位置にあるときには前記第２空洞の外部にある容器。
【請求項２】
前記基部は、保管中に、前記無駄毛剃り器具を所望の位置に維持するための構造を含んでいる、請求項１に記載の容器。
【請求項３】
前記蓋部は、保管中に、前記無駄毛剃り器具を所望の位置に維持するための構造を含んでいる、請求項１に記載の容器。
【請求項４】
前記容器は、成形ポリマー材料で作られている、請求項１に記載の容器。
【請求項５】
前記蓋部は、可動ヒンジによって前記基部にヒンジ接続されている、請求項４に記載の容器。
【請求項６】
前記容器の少なくとも一部分は、半透明である、請求項４に記載の容器。
【請求項７】
前記容器の少なくとも一部分は、透明である、請求項４に記載の容器。
【請求項８】
前記第２空洞は、前記無駄毛剃り器具と壁取り付け構造を収納できる大きさに作られている、請求項１に記載の容器。
【請求項９】
前記基部は、通常の操作中に、ブレードが前記基部に接触することの無いようにするための保護構造を含んでいる、請求項１に記載の容器。
【請求項１０】
消費者に販売するためのパッケージにおいて、
容器であって、
第１空洞と第２空洞を有する基部と、
前記基部にヒンジ接続されており、閉位置と開位置の間を動かせるようになっている蓋部と、を備えている容器と、
前記蓋部が前記閉位置にあるときは、無駄毛剃り器具が前記蓋部と前記基部の間に実質的に密閉されるように、前記第２空洞内に配置されており、前記第１空洞は前記蓋部が閉位置にあるときには前記第２空洞の外部にある無駄毛剃り器具と、
前記第１空洞内に配置されている、少なくとも１つの交換用剃刀カートリッジが中に保管されているディスペンサーと、
製品情報が印刷されており、少なくとも一部分は前記第１空洞内に密閉され、少なくとも別の部分は前記容器の外側にある、カードと、
前記容器が前記閉位置に維持され、且つ前記ディスペンサーの少なくとも一部分が前記基部と取り外し可能な収縮ラップ材料との間に捕捉されるように、前記容器の回りに配置されている取り外し可能な収縮ラップと、を備えているパッケージ。
【請求項１１】
前記カードは、前記カードの、前記容器の外側の部分に、前記パッケージを吊るすための吊り孔を含んでいる、請求項１０に記載の消費者に販売するためのパッケージ。
【請求項１２】
前記カードは、干渉孔を含んでおり、前記容器は、前記カードが前記容器から出ないようにするため前記干渉孔の中に少なくとも部分的には配置されているタブを含んでいる、請求項１０に記載の消費者に販売するためのパッケージ。
【発明の詳細な説明】
【技術分野】
【０００１】
本開示は、一般的には無駄毛剃り器具用の容器に関しており、より具体的には、本開示は、無駄毛剃り器具を包み込んではいるが、交換カートリッジへ外部からアクセスできるようになっている容器に関する。
【背景技術】
【０００２】
本出願は、２００５年７月１１日出願の米国仮特許出願第６０／６９８，５３９号の恩典を請求する。
【０００３】
一般的には湿式無駄毛剃り剃刀とも呼ばれている無駄毛剃り器具は、通常「使い捨て」と「システム」の２つの方式で市販されている。使い捨て無駄毛剃り器具は、ハンドルに永久的に取り付けられている剃刀カートリッジを含んでいる（即ち、剃刀カートリッジとハンドルは、通常の使用時には分離されないようになっている）。ブレードが摩耗すると、ユーザーは、ユニット全体を廃棄し、新しい使い捨て無駄毛剃り器具を使い始める。システム無駄毛剃り器具は、通常、永久ハンドルと分離可能な剃刀カートリッジを含んでいる。この装置では、剃刀カートリッジは、ハンドルに取り付けられ、ブレードの切れ味が悪くなるまで使用される。ブレードが摩耗すると、ユーザーは、剃刀カートリッジを選択的に分離し、それを新しい剃刀カートリッジと取り替えて同じハンドルに取り付ける。
【０００４】
システム無駄毛剃り器具を使い易くするために、システムのハンドルと共に使用する取替用剃刀カートリッジは、ディスペンサーに入れてまとめて（例えば、４つ又は８つのグループ）販売されていることが多い。ディスペンサーは、取替用剃刀カートリッジを、１つ又は複数のブレードそれぞれの鋭利なエッジが外側の力から保護されるように、しっかりと維持している。更に、取替用剃刀カートリッジは、通常は、ディスペンサー内で、カートリッジをシステムのハンドルに接続するための機構が露出していてユーザーが容易にアクセスできるように、方向付けされている。
【０００５】
システム式無駄毛剃り器具と、付帯するディスペンサー／取替剃刀カートリッジを保管するために、これまで様々な型式の装置が利用されている。例えば、トレイは、商業的に成功していることが示されている。トレイは、通常、上面と底面を有している。上面は、無駄毛剃り器具をトレイに取り付けるための機構を含んでいる。同様に、底面は、ディスペンサーをトレイの、見えないが、取替用カートリッジが必要な場合には容易にアクセスできるところに取り付けるための機構を含んでい。上記トレイの変形も、市場には出て来ている。例えば、Worrickへの米国特許第６，４１５，５１７号に開示されているトレイの様な、湿潤環境で使用するためのトレイが開発されている。Worrickの特許は、シャワー室に吊るしておくときに交換用剃刀カートリッジを保管するための内側チャンバを含むトレイを開示している。しかしながら、先行技術の幾つかのトレイは、無駄毛剃り器具を、損傷しないように、又は移動中に流出した流体で覆われないように保護することができない。無駄毛剃り器具が遮蔽されているこれらの例では、交換用剃刀カートリッジを容易に使用することができない。
【０００６】
更に、今日、市場の殆どのシステム剃刀に用いられている包装は、ブリスターラップである。ブリスターラップは、万引きが末端販売前にパッケージから無駄毛剃り器具を取り外すのが難しいように、システム剃刀をしっかりと包装するのに効率的で安価な方法であり、輸送中に無駄毛剃り器具を効果的に保護する。更に、ブリスターラップは、製品を末端のユーザーにとって魅力的なものにする明るく輝く色で容易に印刷することもできるし、包装内に配置されている挿入物がブリスターラップ材料を通して明白に見えるように透明にしておくこともできる。残念なことには、ブリスターラップは、無駄毛剃り器具を最初に使用する直前に廃棄されるので、無駄になる。
【０００７】
従って、使用しないときに無駄毛剃り器具を保管するための、移動中に無駄毛剃り器具を保護するための、交換用剃刀カートリッジを容易にアクセスできる位置に収納するための、そして本来的パッケージ材として働くための場所を提供する、製品を保管するための簡単ながらも効果的な容器が必要とされている。
従って、本発明の目的は、先行技術の既知の欠点を克服することである。
【０００８】
【特許文献１】米国仮特許出願第６０／６９８，５３９号
【特許文献２】米国特許第６，４１５，５１７号
【発明の開示】
【課題を解決するための手段】
【０００９】
本発明の１つの態様によれば、無駄毛剃り器具を保管するための容器は、基部と蓋部を含んでいる。基部は、第１空洞と第２空洞を含んでいる。第１空洞は、交換用剃刀カートリッジのディスペンサーを収納できる大きさに作られており、第２空洞は、無駄毛剃り器具を収納できる大きさに作られている。蓋部は、基部にヒンジで接続されており、閉位置と開位置の間で動かせるようになっている。蓋部が閉位置にあるときは、無駄毛剃り器具は、容器の蓋部と基部の間で、第２空洞内に実質的に密閉されている。
【００１０】
本発明の１つの実施形態によれば、基部及び／又は上部は、保管中に、無駄毛剃り器具を、容器の第２空洞内の所望の位置に維持するための構造を含んでいる。
本発明の別の実施形態によれば、容器は、成形ポリマー材料で作られている。
本発明の別の実施形態によれば、蓋部は、可動ヒンジによって基部にヒンジ接続されている。
本発明の更に別の態様によれば、容器は、末端のユーザーが、無駄毛剃り器具及び／又は中に入っている他の品物を見ることができるように、半透明又は透明になっている。
本発明の別の態様によれば、第２空洞は、無駄毛剃り器具だけでなく壁取り付け構造を収納できる大きさに作られている。
【００１１】
本発明の別の態様によれば、消費者に販売するためのパッケージは、上記容器、カード、及び収縮ラップを含んでいる。蓋部が閉位置にあるときは、無駄毛剃り器具は、第２空洞内に配置されており、無駄毛剃り器具は、蓋部と基部の間に実質的に密閉されている。少なくとも１つの交換用剃刀カートリッジを中に含んでいるディスペンサーは、ディスペンサーの第１空洞内に配置されている。カードには、製品情報を印刷しておくこともできる。カードの少なくとも一部分は、第２空洞内に密閉されており、カードの少なくとも別の部分は、容器の外側に在る。カードは、容器の外側に位置する部分に、パッケージをラック棚に吊るすための吊り孔を含んでいてもよい。カードは、干渉孔を含んでいてもよい。容器が閉位置にあるとき、タブは、干渉孔を通って伸張しており、カードの第２空洞内に位置している部分が不意に容器を出ることがないようにしている。取り外し可能な収縮ラップが容器の回りに配置されていて、容器が閉位置に維持され、タブが干渉孔を出ないようになっており、ディスペンサーの少なくとも一部が、基部と取り外し可能な収縮ラップ材料の間に捕捉されるようになっている。
【００１２】
本発明の１つの利点は、無駄毛剃り器具は、保管されているときは、蓋部と基部によって、損傷又は抜け落ちから実質的に保護されていることである。
本発明の別の利点は、ディスペンサー内に位置している交換用剃刀カートリッジには、第２チャンバの外側の末端のユーザーが容易にアクセスできることである。
本発明の別の利点は、容器が、本来的包装材として働き、従って、通常は無駄毛剃り器具パッケージに伴う無駄を削減できることである。
【００１３】
本発明の上記及びこの他の利点は、当業者には、詳細な説明と図面を見れば明白になるであろう。
【発明を実施するための最良の形態】
【００１４】
図１−３に示すように、本発明の容器には参照番号１０が付されている。容器１０は、基部１２と蓋部１４を含んでいる。基部１２は、第１空洞１６（図２参照）と第２空洞１８（図３参照）を含んでいる。蓋部１４は、基部１２にヒンジ接続されていて、蓋部１４は、閉位置（図１参照）と開位置（図３参照）の間で動かせるようになっている。第２空洞１８は、蓋部１４が閉位置にあるときは、蓋部１４と基部１２によって実質的に密閉されている。
【００１５】
図２と図３に示すように、基部１２の第１空洞１６は、交換用剃刀カートリッジ２２のディスペンサー２０を収納できる寸法形状に作られている。第１空洞１６の実際の形状と寸法は、保管される実際のディスペンサー２０の形状と寸法に依って変わる。例えば、４つの交換用剃刀カートリッジ２２を保持することができるように設計されているディスペンサー２０は、ほぼ幅１．５インチ、長さ３．０インチである。しかしながら、第１空洞１６は、本発明の範囲から逸脱することなく、もっと大きくても小さくてもよい。
【００１６】
ディスペンサー２０は、容器１０の第１空洞１６に永久的に取り付けてもよいが、容器１０に取り外し可能に取り付けられるのが望ましい。従って、ユーザーは、ディスペンサー２０内の全ての交換用カートリッジ２２を使い切ってしまうと、空のディスペンサーを、未使用の交換用剃刀カートリッジが装填されている新しいディスペンサーと交換することができる。図２の例では、第１空洞１６は、ディスペンサー２０を、圧入嵌合式接続によって収納し維持するように設計されている。ディスペンサー２０は、第１空洞１６内に圧入され、摩擦によって適所に保持される。別の実施形態では、図示していないが、第１空洞１６は、ディスペンサー２０と積極的に係合し、ディスペンサー２０を適所に保持する構造（例えば、タブ）を含んでいる。これらの実施形態では、ディスペンサー２０は、第２空洞に「スナップ装着される」。
【００１７】
図３と図４に示すように、基部１２は、更に、少なくとも無駄毛剃り器具２４を収納できる寸法形状に作られた第２空洞１８を含んでいる。容器１０は、１つの無駄毛剃り器具２４を保持するのが望ましいが、本発明の範囲を逸脱することなく、２つ以上の無駄毛剃り器具２４か、又は、無駄毛剃り器具２４と、無駄毛剃り器具２４用の（図４に示すような）壁ハンガー２６又は無駄毛処理クリーム塗布器（例えば、モグラの毛ブラシ）（図示せず）の様な少なくとも１つの他の装置とを保持するように設計することもできる。代わりに、容器１０を、歯ブラシ（図示せず）の様な、剃刀とは全く無関係な装置を保持できるような寸法に作ることもできる。従って、第２空洞１８の実際の形状寸法は、保管される実際の無駄毛剃り器具２４（及び何らかの他の装置）の形状寸法に依って変わる。例えば、多くの例では、無駄毛剃り器具２４は、長さ約４インチから６インチのハンドル２８と、ハンドル２８の端部に取り付けられる、上記の様に幅約１．５インチの交換用のカートリッジ２２とを含んでいる。従って、基部１２は、或る実施形態では略長方形である。例えば、図２の容器１０は、長さ（「Ｌ」）約６．５インチで幅（「Ｗ」）約３インチの基部を有している。
【００１８】
第２空洞１８は、容器１０に構造的安定性を追加するだけでなく、容器内に配置されている無駄毛剃り器具２４又は他の装置を、保管中に所望の位置に維持する構造３０を更に含んでいる。例えば、図３と図４に示している様に、第２空洞１８は、無駄毛剃り器具２４のハンドル２８が、横から横へ動かないようにするハンドル位置決め構造３０を含んでいてもよい。更に、図３と図４に示している様に、第２空洞１８は、更に、無駄毛剃り器具２４のブレード３４が容器１０と望ましくない接触をするのを防ぐ、カートリッジ位置決め構造３２を含んでいてもよい。
【００１９】
更に図４と図５に示すように、蓋部１４は、ヒンジ３６で基部１２に接続されている。ヒンジ３６は、当業者には既知のどの様な型式のヒンジ３６でもよい。例えば、蓋部１４と基部１２は、それぞれヒンジ３６（図示せず）に接続されている独立した部品であってもよい。或いは、蓋部１４と基部１２は、一体に接続されていて（例えば、１つの成形部品で形成されている）、可動ヒンジ３８で分けられている。可動ヒンジ３８という用語は、材料が薄くなっており、従って弱くなっていて、容器１０の蓋部１４を、破壊することなく、開位置と閉位置の間で繰り返し動かせるようになっている領域を意味している。上部１４は、更に、容器の内側に無駄毛剃り器具２８を配置するための構造３９を含んでいる。
【００２０】
蓋部１４と基部１２は、必要なときには容器１０を閉位置に留めることができる相補的閉鎖構造（それぞれ５２と５４）を含んでいてもよい。当業者に既知のどの様な適した閉鎖構造５２、５４を用いてもよい。
【００２１】
容器１０は、どの様な適した材料で作ってもよいが、成形プラスチック又はポリマー材が特に有用であると分かっている。例えば、ポリプロピレンは、容易且つ安価に成形できるので、可動ヒンジ３８（先に論じた）を形成するのに用いることができ、容易に着色することができる。更に、本発明の容器１０は、単一部品で成形するのが望ましいが、先に論じた様に、容器１０は、それぞれが異なる種類の材料で作られた別体の部品であってもよい。容器１０は、何れの色でもよいが、透明でない場合は、容器の少なくとも一部分が半透明であるのが望ましい。
【００２２】
また次に図６と図７に示すように、先に述べた容器１０は、消費者に販売するための本来的パッケージ材としても用いられる。これらの例では、ディスペンサー２０は第１空洞１６内に配置され、無駄毛剃り器具２４は（何らかの他の必要な装置と共に）第２空洞１８に配置されており、カード４０は、第１空洞１６内に部分的に密閉されている。通常、カード４０は、何らかの所望の印刷された情報４２に加えて、吊り孔４４と干渉孔４６を含んでいる。干渉孔４６は、どの様な適した大きさでもよく、通常、容器１０（例えば、第２空洞１８内）に配置されているタブ４８に対応している。カード４０が第２空洞１８の内側に部分的に配置されている場合、タブ４８は、容器４０が閉位置にあるときには、干渉孔４６を通って伸張し（図７参照）、容器１０が開くまで、カード４０が容器１０を出ないようにしている。
【００２３】
無駄毛剃り器具２４又はディスペンサー２０と、付帯する交換用カートリッジ２２との盗難を防ぐために、収縮ラップ５０が容器１０の回りに配置され（図６と図７参照）、容器１０を閉位置に維持し、ディスペンサー２０は第１空洞１６内に維持するようになっている。
容器１０を、小売では一般的なように保管棚に吊るすことができるように、通常、カード４０には吊り孔４４が含まれている。
【００２４】
上記開示には、本発明の精神と範囲から逸脱すること無く、修正と変更を施すことができる。
【図面の簡単な説明】
【００２５】
【図１】本発明の無駄毛剃り器具用容器の１つの実施形態の等角図である。
【図２】図１の容器の底面図である。
【図３】図１の正面図であり、蓋部は開位置にある。
【図４】図１の、４−４線に沿う断面図であり、容器は、無駄毛剃り器具と壁取り付けハンガーを第２空洞内に、交換用剃刀カートリッジのディスペンサーを第１空洞内に含んでいる。
【図５】図１の容器の１つの実施形態の正面図である。
【図６】図１の容器の、本来的パッケージ材として働く１つの実施形態の正面図である。
【図７】図６の、７−７線に沿う断面図である。
【図１】
2009500261.tif 000003
【図２】
2009500261.tif 000004
【図３】
2009500261.tif 000005
【図４】
2009500261.tif 000006
【図５】
2009500261.tif 000007
【図６】
2009500261.tif 000008
【図７】
2009500261.tif 000009
【国際調査報告】
2009500261.tif 000010
2009500261.tif 000011
2009500261.tif 000012
2009500261.tif 000013